(57)【要約】【課題】走行式汚泥掻き寄せ機の構成部材及び動力を利用してスカムを排出するようにしたスカム排出装置を提供すること。【解決手段】走行式汚泥掻き寄せ機１に上端を枢着して、昇降機構１１により揺動可能に配設し、先端に汚泥掻き寄せ板２１を取り付けた汚泥掻き寄せ部材２の水面位置にスカム掻き寄せ板２２を取り付け、その上方にスカムスキマ３に配設した可動堰３１を傾動操作するガイド片２３を取り付ける。【選択図】  図１
2004154611.tif 000002
【特許請求の範囲】
【請求項１】
走行式汚泥掻き寄せ機に上端を枢着して、昇降機構により揺動可能に配設し、先端に汚泥掻き寄せ板を取り付けた汚泥掻き寄せ部材の水面位置にスカム掻き寄せ板を取り付け、その上方にスカムスキマに配設した可動堰を傾動操作するガイド片を取り付けたことを特徴とするスカム排出装置。
【請求項２】
昇降機構により汚泥掻き寄せ部材を揺動操作することにより、可動堰の傾動を解除するようにしたことを特徴とする請求項１記載のスカム排出装置。
【請求項３】
スカムスキマに水位の上下に応じて一定の堰高を維持する浮動堰を配設したことを特徴とする請求項１又は２記載のスカム排出装置。
【発明の詳細な説明】
【０００１】
【発明の属する技術分野】
本発明は、スカム排出装置に関し、特に、走行式汚泥掻き寄せ機の構成部材及び動力を利用してスカムを排出するようにしたスカム排出装置に関するものである。
【０００２】
【従来の技術】
従来、沈殿池には、沈殿池の底部に沈殿した汚泥を掻き寄せるために、チェーンフライト式汚泥掻き寄せ機や走行式汚泥掻き寄せ機が配設されている。
【０００３】
このうち、チェーンフライト式汚泥掻き寄せ機においては、チェーンに配設したフライトが、沈殿池の底部位置の往路を移動する際、沈殿池の底部に沈殿した汚泥を汚泥ピットに向けて掻き寄せるとともに、水面位置の復路を移動する際、水面に浮遊しているスカムをスカムスキマに向けて掻き寄せ、これに合わせてスカムスキマを傾転させ、スカムスキマへの呑み込み水流に乗せて排出するようにしている。
【０００４】
【発明が解決しようとする課題】
一方、走行式汚泥掻き寄せ機の場合は、チェーンフライト式汚泥掻き寄せ機のように、汚泥を掻き寄せるフライトによって、スカムを掻き寄せることができないため、別途、スカムをスカムスキマに向けて掻き寄せる機構を必要とし、このため、設備コストが高くつくという問題があった。
【０００５】
本発明は、上記従来の走行式汚泥掻き寄せ機におけるスカムの排出に伴う問題点に鑑み、走行式汚泥掻き寄せ機の構成部材及び動力を利用してスカムを排出するようにしたスカム排出装置を提供することを目的とする。
【０００６】
【課題を解決するための手段】
上記目的を達成するため、本発明のスカム排出装置は、走行式汚泥掻き寄せ機に上端を枢着して、昇降機構により揺動可能に配設し、先端に汚泥掻き寄せ板を取り付けた汚泥掻き寄せ部材の水面位置にスカム掻き寄せ板を取り付け、その上方にスカムスキマに配設した可動堰を傾動操作するガイド片を取り付けたことを特徴とする。
【０００７】
このスカム排出装置は、汚泥掻き寄せ部材の水面位置にスカム掻き寄せ板を取り付け、その上方にスカムスキマに配設した可動堰を傾動操作するガイド片を取り付けるようにしているので、走行式汚泥掻き寄せ機の構成部材及び動力を利用して、水面に浮遊しているスカムをスカムスキマに向けて掻き寄せ、これに合わせてスカムスキマに配設した可動堰を傾動させ、スカムスキマへの呑み込み水流に乗せて排出することができる。
【０００８】
この場合において、昇降機構により汚泥掻き寄せ部材を揺動操作することにより、可動堰の傾動を解除するようにすることができる。
【０００９】
これにより、掻き寄せられたスカムがスカムスキマに排出された後の可動堰の傾動の解除操作を円滑に行うことができ、スカムスキマへの排水量が少なくなって、スカムスキマに排出されたスカムの後処理を簡易に行うことができる。
【００１０】
また、スカムスキマに水位の上下に応じて一定の堰高を維持する浮動堰を配設することができる。
【００１１】
これにより、沈殿地の水位が上下に変異した場合でも、スカムスキマへの排水量を一定に保持し、スカムを安定して排出することができる。
【００１２】
【発明の実施の形態】
以下、本発明のスカム排出装置の実施の形態を図面に基づいて説明する。
【００１３】
図１〜図２は、本発明のスカム排出装置の一実施例を示す。
このスカム排出装置は、走行式汚泥掻き寄せ機１に上端を枢着して、この走行式汚泥掻き寄せ機１に搭載した巻き上げ装置等からなる昇降機構１１により揺動可能に配設し、先端に汚泥掻き寄せ板２１を取り付けた汚泥掻き寄せ部材２の水面位置にスカム掻き寄せ板２２を取り付け、その上方にスカムスキマ３に配設した可動堰３１を傾動操作するガイド片２３を取り付けて構成する。
【００１４】
この場合、スカム掻き寄せ板２２は、汚泥掻き寄せ部材２の所定位置に固定したアーム２２ａの先端に固定するようにするが、汚泥掻き寄せ部材２の先端に取り付けた汚泥掻き寄せ板２１により、沈殿池４の底部に沈殿した汚泥を汚泥ピット４１に向けて掻き寄せる際に、スカム掻き寄せ板２２が水面位置に位置するように、アーム２２ａ及びスカム掻き寄せ板２２の固定位置を調整するようにする。
なお、スカム掻き寄せ板２２が水面位置に位置するように、スカム掻き寄せ板２２にフロートを取り付け、スカム掻き寄せ板２２を汚泥掻き寄せ部材２に対して昇降可能に取り付けるようにすることもできる。
【００１５】
スカムスキマ３に配設した可動堰３１を傾動操作するガイド片２３は、先端に可動堰３１の傾動用レバー３２を傾動操作するローラ２３ａを配設し、スカムスキマ３側に向けて略水平に延出するようにして汚泥掻き寄せ部材２に取り付けるようにする。
【００１６】
スカムスキマ３に配設した可動堰３１は、先端をリンク機構３３を介して傾動用レバー３２に接続するとともに、リンク機構３３には、可動堰３１の傾動が解除されたときの復帰を円滑に行うためのカウンターウエイト３４及び可動堰３１を手動操作するための手動レバー３５を接続するようにする。
【００１７】
また、スカムスキマ３には、両端にフロート３７を取り付けることにより、水位の上下に応じて一定の堰高を維持するようにした浮動堰３６を併設するようにする。
これにより、沈殿地４の水位が上下に変異した場合でも、スカムスキマ３への排水量を一定に保持し、スカムを安定して排出することができる。
【００１８】
そして、このスカム排出装置は、走行式汚泥掻き寄せ機１を走行させながら汚泥掻き寄せ部材２の先端に取り付けた汚泥掻き寄せ板２１により、沈殿池４の底部に沈殿した汚泥を汚泥ピット４１に向けて掻き寄せる際に、汚泥掻き寄せ部材２の水面位置に取り付けたスカム掻き寄せ板２２により、水面に浮遊しているスカムをスカムスキマ３に向けて掻き寄せ、これに合わせて汚泥掻き寄せ部材２にスカムスキマ３側に向けて略水平に延出するように取り付けた傾動用レバー３２の先端に配設したローラ２３ａにより、スカムスキマ３に配設した可動堰３１の傾動用レバー３２を傾動操作して可動堰３１を傾動させ、スカムをスカムスキマ３への呑み込み水流に乗せて排出することができる。
【００１９】
このようにして、スカムをスカムスキマ３への呑み込み水流に乗せて排出した後、昇降機構１１により汚泥掻き寄せ部材２を揺動操作して引き上げることにより、傾動用レバー３２の先端に配設したローラ２３ａによる可動堰３１の傾動用レバー３２の傾動操作が解除され、可動堰３１の傾動を解除するようにする。
このとき、リンク機構３３に接続されたカウンターウエイト３４の作用により、傾動が解除された可動堰３１は、スカムスキマ３への水の流入を阻止する当初位置に円滑に復帰する。
これにより、掻き寄せられたスカムがスカムスキマ３に排出された後の可動堰の傾動の解除操作を円滑に行うことができ、スカムスキマ３への排水量が少なくなって、スカムスキマ３に排出されたスカムの後処理を簡易に行うことができる。
【００２０】
以上、本発明のスカム排出装置について、その一実施例に基づいて説明したが、本発明は上記実施例に記載した構成に限定されるものではなく、その趣旨を逸脱しない範囲において適宜その構成を変更することができるものである。
【００２１】
【発明の効果】
本発明のスカム排出装置によれば、汚泥掻き寄せ部材の水面位置にスカム掻き寄せ板を取り付け、その上方にスカムスキマに配設した可動堰を傾動操作するガイド片を取り付けるようにしているので、走行式汚泥掻き寄せ機の構成部材及び動力を利用して、水面に浮遊しているスカムをスカムスキマに向けて掻き寄せ、これに合わせてスカムスキマに配設した可動堰を傾動させ、スカムスキマへの呑み込み水流に乗せて排出することができ、スカム排出装置を簡易な構成とすることができるとともに、設備コストを低廉にすることができる。
【００２２】
また、昇降機構により汚泥掻き寄せ部材を揺動操作することにより、可動堰の傾動を解除するようにすることにより、掻き寄せられたスカムがスカムスキマに排出された後の可動堰の傾動の解除操作を円滑に行うことができ、スカムスキマへの排水量が少なくなって、スカムスキマに排出されたスカムの後処理を簡易に行うことができる。
【００２３】
また、スカムスキマに水位の上下に応じて一定の堰高を維持する浮動堰を配設することにより、沈殿地の水位が上下に変異した場合でも、スカムスキマへの排水量を一定に保持し、スカムを安定して排出することができる。
【図面の簡単な説明】
【図１】本発明のスカム排出装置の一実施例を示す説明図である。
【図２】同拡大説明図である。
【符号の説明】
１      走行式汚泥掻き寄せ機
１１    昇降機構
２      汚泥掻き寄せ部材
２１    汚泥掻き寄せ板
２２    スカム掻き寄せ板
２２ａ  アーム
２３    ガイド片
２３ａ  ローラ
３      スカムスキマ
３１    可動堰
３２    傾動用レバー
３３    リンク機構
３４    カウンターウエイト
３５    手動レバー
４      沈殿池
４１    汚泥ピット
【図１】
2004154611.tif 000003
【図２】
2004154611.tif 000004